(57)【要約】【課題】頭皮に心地よい刺激を与えてマッサージ効果を高め、頭髪表面の髪の流れを整えてブラッシング後の仕上がり感を向上させる。【解決手段】ヘアーブラシ１０は、それぞれ異なる長さの第１〜第４ブラシ毛１４ａ〜１４ｄが段差植毛により基板１２に植毛される。第１ブラシ毛１４ａは、最も長いブラシ毛であって、頭皮に当たって撓みつつその毛先で頭皮を押さえる。第２ブラシ毛１４ｂは、第１ブラシ毛１４ａよりも短いブラシ毛であって、第１ブラシ毛１４ａが頭皮に当たって撓んだとき、その毛先が頭皮を突くように接触する。第３ブラシ毛１４ｃは、第２ブラシ毛１４ｂよりもさらに短いブラシ毛であって、頭髪の中層部に入り込んで髪のもつれを取る。第４ブラシ毛１４ｄは、第３ブラシ毛１４ｃよりもさらに短いブラシ毛であって、頭髪の表層部に入り込んで髪のもつれを取る。【選択図】図２
0003106144.tif 000002
【実用新案登録請求の範囲】
【請求項１】
ブラシ毛を段差植毛により基板に植毛するようにしたヘアーブラシにおいて、前記ブラシ毛は、それぞれ異なる長さの下記ブラシ毛Ａ〜Ｄを有することを特徴とするヘアーブラシ。
Ａ．最も長いブラシ毛であって、頭皮に当たって撓みつつその毛先で頭皮を押さえる第１ブラシ毛、
Ｂ．前記第１ブラシ毛よりも短いブラシ毛であって、前記第１ブラシ毛が頭皮に当たって撓んだとき、その毛先が頭皮を突くように接触する第２ブラシ毛、
Ｃ．前記第２ブラシ毛よりもさらに短いブラシ毛であって、頭髪の中層部に入り込んで髪のもつれを取る第３ブラシ毛、
Ｄ．前記第３ブラシ毛よりもさらに短いブラシ毛であって、頭髪の表層部に入り込んで髪のもつれを取る第４ブラシ毛。
【請求項２】
前記第２ブラシ毛の毛先の位置は、前記第１ブラシ毛の毛先の位置よりも若干後退した位置に設けられる、請求項１記載のヘアーブラシ。
【請求項３】
前記第１〜４ブラシ毛からなる毛束のうち、前記第１ブラシ毛と前記第２ブラシ毛とのブラシ毛の数の比が２：３である、請求項１または２記載のヘアーブラシ。
【請求項４】
前記第２ブラシ毛は、前記第１ブラシ毛よりも高弾性の材料からなる、請求項１、２または３記載のヘアーブラシ。
【請求項５】
前記第１〜第４ブラシ毛のうち、少なくとも前記第１ブラシ毛および前記第２ブラシ毛の毛先に球状部が形成される、請求項１、２、３または４記載のヘアーブラシ。
【考案の詳細な説明】
【技術分野】
【０００１】
本考案は、ヘアーブラシに関するもので、詳しくは、段差植毛のブラシ毛を備えたマッサージ機能付きヘアーブラシに関するものである。
【背景技術】
【０００２】
従来のヘアーブラシとして、ブラシ毛の長さに段差を付けて植毛するヘアーブラシが知られている。この種のヘアーブラシは、例えば図５に示すように、基板２の多数の穴にブラシ毛の繊維がＶ字形に折り曲げられて植毛される。各繊維は、その長さの中間位置からズレた位置で折り曲げられ、この折曲部から長短２種のブラシ毛３ａ、３ｂが異なる長さでブラシ面上に突き出る。
頭髪をブラッシングする際、長いブラシ毛３ａは、頭髪に深く入り込んで地肌に当たり、頭皮をマッサージしながら整髪を行う。一方、短いブラシ毛３ｂは、頭髪に浅く入り込んで髪のもつれを取る。
なお、関連する先行技術としては、下記の特許文献１および２等が開示されている。
【０００３】
【特許文献１】特開平１１−４６８６５号公報
【特許文献２】特開２００３−２４５１３１号公報
【考案の開示】
【考案が解決しようとする課題】
【０００４】
しかしながら、このような従来の段差植毛式のヘアーブラシは、ブラッシングの際にブラシ毛３ａの地肌に与える刺激が単調になりやすく、マッサージ効果が不十分になりやすい。
また、ブラシ毛３ａ、３ｂでは、頭髪の中層部から表層部にかけて髪のもつれを十分にとることができないため、ブラッシング後の仕上がりが悪く見えることがある。特に、髪のボリュームの多い人では、頭髪表面の髪の乱れが目立ちやすくなる。
【０００５】
本考案は、このような現状に鑑みなされたもので、頭皮に心地よい刺激を与えてマッサージ効果を高め、しかも、頭髪表面の髪の流れを整えてブラッシング後の仕上がり感を向上させるようにした段差植毛式のヘアーブラシを提供することを目的としている。
【課題を解決するための手段】
【０００６】
［第１考案］
前記課題を解決するために本考案（第１考案）のヘアーブラシは、ブラシ毛を段差植毛により基板に植毛するようにしたヘアーブラシにおいて、前記ブラシ毛は、それぞれ異なる長さの下記ブラシ毛Ａ〜Ｄを有する構成とした。
Ａ．最も長いブラシ毛であって、頭皮に当たって撓みつつその毛先で頭皮を押さえる第１ブラシ毛、
Ｂ．前記第１ブラシ毛よりも短いブラシ毛であって、前記第１ブラシ毛が頭皮に当たって撓んだとき、その毛先が頭皮を突くように接触する第２ブラシ毛、
Ｃ．前記第２ブラシ毛よりもさらに短いブラシ毛であって、頭髪の中層部に入り込んで髪のもつれを取る第３ブラシ毛、
Ｄ．前記第３ブラシ毛よりもさらに短いブラシ毛であって、頭髪の表層部に入り込んで髪のもつれを取る第４ブラシ毛。
【０００７】
本考案（第１考案）のヘアーブラシは、第１〜第４ブラシ毛で頭髪をブラッシングすると、第１ブラシ毛が頭皮に当たって撓みながらその毛先で頭皮を強く押さえ、同時に第２ブラシ毛の毛先が頭皮を軽く突いて頭皮を刺激する。すなわち、第１ブラシ毛と第２ブラシ毛の２種の刺激が相俟って共働作用により頭皮をマッサージする。この結果、頭皮に極めて心地よい感覚をもたらせるとともに、頭皮の血行を促進し、発毛・育毛効果を促す。
一方、頭髪の中層部から表層部にかけて第３ブラシ毛と第４ブラシ毛が頭皮と十分な距離を保って髪の間に入り込むことから、これらの部分の髪をより確実に梳き上げることができる。これにより、頭髪表面の髪の流れが整いやすくなりブラッシング後の仕上がり感を向上させることができる。
【０００８】
［第２考案］
本考案（第２考案）のヘアーブラシは、前記第２ブラシ毛の毛先の位置が前記第１ブラシ毛の毛先の位置よりも若干後退した位置に設けられる構成とした。
【０００９】
このような構成によれば、第１ブラシ毛の毛先から若干後退した位置に第２ブラシ毛の毛先が揃うため、第１ブラシ毛と第２ブラシ毛が前述したような共働作用を発揮しやすくなり、頭皮に対して強弱のバランスのよい刺激を与えることができる。
なお、第２考案において、「若干後退した位置」とは、ヘアーブラシを通常使用するとき、頭にヘアーブラシを軽く押し付けた状態で第１ブラシ毛と第２ブラシ毛の毛先が両方頭皮に接触する位置を意味し、例えば、第１ブラシ毛と第２ブラシ毛との毛先の位置の差が２〜４ｍｍ程度、望ましくは３ｍｍ程度であるとよい。
【００１０】
［第３考案］
本考案（第３考案）のヘアーブラシは、前記第１〜４ブラシ毛からなる毛束のうち、前記第１ブラシ毛と前記第２ブラシ毛とのブラシ毛の数の比が２：３である構成とした。
【００１１】
このような構成によれば、第１ブラシ毛よりも第２ブラシ毛の方がその毛束の腰が強くなるため、ブラッシング時に第１ブラシ毛を撓ませながら第２ブラシ毛をほぼ真っ直ぐに立てた状態でその毛先を頭皮に接触させることができる。これにより、第２ブラシ毛の毛先で頭皮により強い刺激を与え、マッサージ効果を高めることができる。
また、第１ブラシ毛および第２ブラシ毛をともに複数にすることで、頭皮の広い範囲に効率よく刺激が伝わりやすくなる。
【００１２】
［第４考案］
本考案（第４考案）のヘアーブラシは、前記第１ブラシ毛よりも高弾性の材料で前記第２ブラシ毛を形成する構成とした。
【００１３】
このような構成によれば、第１ブラシ毛よりも第２ブラシ毛の腰が強くなるため、前述の第３考案と同様に、第２ブラシ毛の毛先で頭皮により強い刺激を与えることができる。
なお、各ブラシ毛の材料としては、猪毛、豚毛、馬毛等の獣毛や、ナイロン等の樹脂毛を適宜使用するとよい。
【００１４】
［第５考案］
本考案（第５考案）のヘアーブラシは、前記第１〜第４ブラシ毛のうち、少なくとも前記第１ブラシ毛および前記第２ブラシ毛の毛先に球状部を形成する構成とした。
【００１５】
このような構成によれば、第１ブラシ毛と第２ブラシ毛の球状部が頭皮に心地のよい刺激を与えるため、さらに快適なブラッシングを行うことができる。また、ヘアーブラシを頭皮に沿って動かすときに第１ブラシ毛と第２ブラシ毛の毛先の滑りがよくなり、ヘアーブラシの操作感を高めることができる。
【００１６】
本考案（第１〜５考案）のヘアーブラシは、育毛・発毛促進用のヘアーブラシとして使用することが望ましいが、用途はこれに限定されることなく、通常の整髪用ヘアーブラシとして使用してもよい。また、人の頭髪に限られず、ペット等の動物用ブラシとして用いてもよい。
本考案（第１〜５考案）は、必要に応じて単独で適用してもよいし、これらの考案を組み合わせて適用してもよい。また、本明細書に記載される他の考案を組み合わせてもよい。
【考案を実施するための最良の形態】
【００１７】
以下、本考案の実施の形態を図面に基づいて説明する。
本考案を適用したヘアーブラシ１０を図１に示した。
ヘアーブラシ１０は、木材、樹脂等により一体に形成される基板１２および柄１３を有している。柄１３の先端に基板１２が延びており、この基板１２の前面（図１で上面）にブラシ毛１４が植毛されている。ブラシ毛１４の各毛束は、基板１２上でほぼ一定の間隔を保って千鳥状に配置されている。
【００１８】
図２に示すように、ブラシ毛１４の毛束は、４種の長さのブラシ毛（第１〜第４ブラシ毛１４ａ〜１４ｄ）からなる。第１ブラシ毛１４ａが最も長く、第２ブラシ毛１４ｂ、第３ブラシ毛１４ｃ、第４ブラシ毛１４ｄの順に短い。これらの第１〜第４ブラシ毛１４ａ〜１４ｄの毛先が段差を形成し、それぞれの段に均一に揃っている。
【００１９】
第１ブラシ毛１４ａおよび第４ブラシ毛１４ｄは、ナイロン等の樹脂製の単一繊維からなっており、この繊維が所定の長さ位置で折り曲げられている。繊維の折曲部は、繊維長さの中間からズレた位置にあり、これにより第１ブラシ毛１４ａと第４ブラシ毛１４ｄとが異なる長さになる。同様に第２ブラシ毛１４ｂおよび第３ブラシ毛１４ｃについても、単一繊維を中間からズレた位置で折り曲げることによりそれぞれ異なる長さになっている。これらの２種の繊維が所定の本数分束ねられて基板１２に植毛される。
【００２０】
第１〜第４ブラシ毛１４ａ〜１４ｄの長さとしては、例えば、２４ｍｍ（第１ブラシ毛１４ａ）、２１ｍｍ（第２ブラシ毛）、１８ｍｍ（第３ブラシ毛）、１１ｍｍ（第４ブラシ毛）程度に設定するとよい。また、各ブラシ毛１４ａ〜１４ｄの繊維径は、０.５〜０.８ｍｍ程度にするとよい。このような長さと太さを採用することにより、第１〜第４ブラシ毛１４ａ〜１４ｄが適度な弾性をもつようになる。
また、第２ブラシ毛１４ｂの毛先は、第１ブラシ毛１４ａの毛先の位置よりも若干後退した位置（２〜４ｍｍ程度下がった位置）に来るようにすることが望ましい。このような位置関係に設定することで、ヘアーブラシ１０を頭に軽く押し付けるだけで第１ブラシ毛１４ａが撓んで、第１ブラシ毛１４ａと第２ブラシ毛１４ｂとの両方の毛先が頭皮に当たる。
【００２１】
図３に示すように、ブラシ毛１４の毛束には、第１ブラシ毛１４ａと第４ブラシ毛１４ｄがそれぞれ２本、第２ブラシ毛１４ｂと第３ブラシ毛１４ｃとがそれぞれ３本含まれる。
第１ブラシ毛１４ａよりも第２ブラシ毛１４ｂの毛束の本数が多いため、第２ブラシ毛１の毛束は腰が強くなり、より撓みにくい性質をもつ。
【００２２】
第１〜第４ブラシ毛１４ａ〜１４ｄの毛先には球状部Ｒが形成されている。これらの球状部Ｒは、各ブラシ毛の毛先に所定の樹脂を溶着することで形成される。球状部Ｒによれば、第１ブラシ毛１４ａおよび第２ブラシ毛１４ｂの毛先で頭皮に与える刺激を和らげることができる。また、第１ブラシ毛１４ａと第２ブラシ毛１４ｂの毛先が頭皮に滑りやすくなるため、ブラッシング時の操作感が良好になる。
【００２３】
頭髪にヘアーブラシ１０を軽く当てると、図４に示すように、第１ブラシ毛１４ａが頭皮Ｈに当たって撓み、第２ブラシ毛１４ｂがほぼ真っ直ぐな状態になってその毛先が頭皮Ｈに接触する。この状態で図４矢印に示すように、ヘアーブラシ１０を頭皮Ｈに沿って動かすと、第１ブラシ毛１４ａの毛先は頭皮Ｈを強く押さえながら矢印方向に移動し、第１ブラシ毛１４ｂのその毛先は、頭皮Ｈを軽く突くように地肌に接触したり離れたりしながら同方向に移動する。このとき、使用者の頭皮に、第１ブラシ毛１４ａの毛先で頭皮Ｈを連続的に押さえる刺激と、第２ブラシ毛１４ｂの毛先で頭皮を突っつく断続的な刺激との２種の刺激が伝わって心地よい感覚を与える。
【００２４】
また、第１ブラシ毛１４ａと第２ブラシ毛１４ｂは、頭髪の底層部ｈ１、中層部ｈ２、および表層部ｈ３で髪のもつれを取る一方、第３ブラシ毛１４ｃおよび第４ブラシ毛１４ｄは、それぞれ頭髪の中層部ｈ２および表層部ｈ３に頭皮から十分な距離を保って入り込み、これらの部分ｈ２とｈ３の髪のもつれを集中的に解きほぐす。この結果、頭髪表面の髪の流れが整ってブラッシング後の仕上がり感が良好になる。
【００２５】
このように本実施形態のヘアーブラシ１０によれば、２種のブラシ毛１４ａ、１４ｂで頭皮に心地よい異なる刺激を与え、２種のブラシ毛１４ｃ、１４ｄで頭髪表面を中心に髪の流れを美しく整える。この結果、従来にはない満足度の高いヘアーブラシを実現することができる。
【００２６】
前記本考案の実施形態の一例としてヘアーブラシ１０を説明したが、本考案の実施形態はこれに限られず、種々の変更を伴ってもよい。例えばブラシ毛１４の本数や材質等は用途に応じて変更してもよい。毛先の球状部Ｒは、適宜省略することが可能である。ブラシ毛１４の繊維の材質は、第１ブラシ毛１４ａよりも第２ブラシ毛１４ｂの弾性力を大きくすることで、第２ブラシ毛の腰をより強くしてもよい。
また、マッサージ機能またはブラッシング機能を高めるため、第１〜第４ブラシ毛に加えて第５ブラシ毛、第６ブラシ毛…を設けてもよい。
さらに、各ブラシ毛の機能を強調するために第１〜第４ブラシ毛１４ａ〜１４ｄをそれぞれ色分けして外観上見分けやすくしてもよい。
【図面の簡単な説明】
【００２７】
【図１】本考案の実施形態によるヘアーブラシを示す斜視図である。
【図２】同ヘアーブラシの模式断面図である。
【図３】同ヘアーブラシの一部切欠き側面図である。
【図４】同ヘアーブラシのブラシ毛の作用を説明するための拡大模式断面図である。
【図５】従来の実施形態によるヘアーブラシを示す模式断面図である。
【符号の説明】
【００２８】
１０    ヘアーブラシ
１２    基板
１３    柄
１４    ブラシ毛
１４ａ  第１ブラシ毛
１４ｂ  第２ブラシ毛
１４ｃ  第３ブラシ毛
１４ｄ  第４ブラシ毛
Ｈ    頭皮
ｈ１  底層部
ｈ２  中層部
ｈ３  表層部
【図１】
0003106144.tif 000003
【図２】
0003106144.tif 000004
【図３】
0003106144.tif 000005
【図４】
0003106144.tif 000006
【図５】
0003106144.tif 000007